(57)【特許請求の範囲】
【請求項１】
画像診断装置で撮像された医療画像を表示画面に表示させる画像表示装置と、
前記画像表示装置に通信ネットワークを介して接続され、前記画像表示装置に所望の医療画像を表示させ、表示された医療画像に基づいて入力された医師の所見を保存及び表示する所見入力装置、とを有する医療画像表示システムにおいて、
前記所見入力装置は、
前記所見の表示に際して前記所見に対応する前記表示画面の分割数及び表示される医療画像の配置を含む前記医療画像の表示条件を自動的に前記通信ネットワークを介して前記画像表示装置に送信し設定する表示条件設定手段を有することを特徴とする医療画像表示システム。
【請求項２】
請求項１記載の医療画像表示システムにおいて、
前記所見入力装置は、前記医療画像の画種と前記表示画面の分割数とを対応付けた対応テーブルが記憶される分割数記憶手段を有し、前記表示条件設定手段は、前記対応テーブルに基づいて決定された表示画面の分割数を前記画像表示装置に送信することを特徴とする医療画像表示システム。
【請求項３】
請求項１記載の医療画像表示システムにおいて、
前記所見入力装置は、前記表示条件が前記所見と関連付けられて記憶される表示条件記憶手段と、表示された所見に対応する表示条件を前記表示条件記憶手段より抽出して自動的に前記画像表示装置に送信して設定する自動表示条件設定手段、とを有することを特徴とする医療画像表示システム。
【請求項４】
請求項１記載の医療画像表示システムにおいて、
前記画像表示装置は、前記表示条件に基づいて表示画面に表示された医療画像を印刷する印刷手段を有することを特徴とする医療画像表示システム。
【発明の詳細な説明】
【０００１】
【発明の属する技術分野】
本発明は、ＣＴ（Computed Tomography）装置、ＭＲＩ（Magnetic Resonance Imaging）装置、ＣＲ（Computed Radiography）装置等の画像診断装置で撮影された医療画像を画像表示装置に表示させる医療画像表示システムに関するものである。
【０００２】
【従来の技術】
従来、病院では、ＣＲ装置等で撮影したものは、フィルムを読影して診断等を行っていたが、近年、医療画像データとして、画像サーバに保存し、この医療画像データを通信ネットワークを介して画像表示装置に転送して表示させ、診断を行うようになってきた。
【０００３】
そして、医療画像のフォーマット及び通信に関する規格として、ＤＩＣＯＭ（Digital Imaging and Communications in Medicine）と呼ばれる規格が世界的な標準規格となってきており、この規格に準拠することにより、医療画像を扱う機器間の相互運用性を実現しようとしている。
【０００４】
図３は、従来の医療画像表示システムの構成を示す図である。
図３において、１は画像表示装置であり、ＣＴ、ＭＲＩ、ＣＲ装置等の画像診断装置（図示しない）で撮像されて画像サーバ（図示しない）に保存された医療画像が転送されて表示画面に表示されるものである。
【０００５】
２は所見入力装置であり、画像表示装置１と通信ネットワーク３を介して接続され、画像表示装置１に表示された医療画像に基づいて医師により入力された所見が保存され、保存された所見を必要に応じて取出して表示させるものである。
【０００６】
そして、所見入力装置２は、所望の医療画像を表示させるための検索条件を画像表示装置１に送信する検索条件送信手段２ａを有しており、この検索条件は、例えば医療画像に対応付けられて記憶された患者名、撮影日時、画種（画像診断装置の種類）、撮影条件、受付番号、表示階調値等である。
【０００７】
次に、図３に示した医療画像表示システムの動作を説明する。
医師は、所見を入力する患者を決定して所見入力装置２に検索条件を入力し、所見入力装置２の検索条件送信手段２ａは、入力された検索条件を画像表示装置１に通信ネットワーク３を介して送信する。
【０００８】
画像表示装置１は、受信した検索条件に基づいて表示する医療画像を画像サーバから転送させるか、あるいは画像表示装置１内の記憶手段（図示しない）から読み出して、表示画面に表示する。
【０００９】
この場合、画像表示装置１には、前回設定された画面分割数や画像配置等の表示条件が記憶されており、検索された医療画像は、その表示条件に従って、例えば図４にに示すような４分割された表示画面に表示される。
【００１０】
図４は、表示画面が４分割された例を示す図である。
図４において、表示画面は４つの領域Ａ１，Ａ２，Ａ３，Ａ４に分割され、例えば異なる４個所の部位でそれぞれ撮像された４つのＣＴ画像や、撮影日時やその他の撮影条件の異なる４つのＣＲ画像等、同一画種の４つの医療画像がそれぞれ領域Ａ１，Ａ２，Ａ３，Ａ４に配置されて表示される。
【００１１】
【発明が解決しようとする課題】
しかし、このような医療画像表示システムにおいては、例えば医師が表示画面を９分割してＣＴ画像を表示したい場合に、実際に表示された表示画面が4分割であった場合等、医師の望む表示条件でなかった場合は、医師が所望の表示形式を画像表示装置に設定し直して改めて表示させなければならないため、医療画像を読影して所見を入力する効率が低くなる、という問題点があった。
【００１２】
本発明は上述した問題点を解決するためになされたものであり、医療画像の表示条件を設定し直すことなく効率的に読影したい医療画像を表示させることができる医療画像表示システムを実現することを目的とする。
【００１３】
【課題を解決するための手段】
本発明の請求項１においては、画像診断装置で撮像された医療画像を表示画面に表示させる画像表示装置と、前記画像表示装置に通信ネットワークを介して接続され、前記画像表示装置に所望の医療画像を表示させ、表示された医療画像に基づいて入力された医師の所見を保存及び表示する所見入力装置、とを有する医療画像表示システムにおいて、前記所見入力装置は、前記所見の表示に際して前記所見に対応する前記表示画面の分割数及び表示される医療画像の配置を含む前記医療画像の表示条件を自動的に前記通信ネットワークを介して前記画像表示装置に送信し設定する表示条件設定手段を有することを特徴とする医療画像表示システムである。
【００１５】
本発明の請求項２においては、請求項１記載の医療画像表示システムにおいて、前記所見入力装置は、前記医療画像の画種と前記表示画面の分割数とを対応付けた対応テーブルが記憶される分割数記憶手段を有し、前記表示条件設定手段は、前記対応テーブルに基づいて決定された表示画面の分割数を前記画像表示装置に送信することを特徴とする医療画像表示システムである。
【００１６】
本発明の請求項３においては、請求項１記載の医療画像表示システムにおいて、前記所見入力装置は、前記表示条件が前記所見と関連付けられて記憶される表示条件記憶手段と、表示された所見に対応する表示条件を前記表示条件記憶手段より抽出して自動的に前記画像表示装置に送信して設定する自動表示条件設定手段、とを有することを特徴とする医療画像表示システムである。
【００１７】
本発明の請求項４においては、請求項１記載の医療画像表示システムにおいて、前記画像表示装置は、前記表示条件に基づいて表示画面に表示された医療画像を印刷する印刷手段を有することを特徴とする医療画像表示システムである。
【００１８】
【発明の実施の形態】
次に、本発明の実施例について図面を用いて説明する。
図１は本発明の一実施例の構成概略図である。
尚、以下の図面において、図３と重複する部分は同一番号を付してその説明は適宜に省略する。
【００１９】
図１において、所見入力装置２には表示条件設定手段２ｂ、分割数記憶手段２ｃ、表示条件記憶手段２ｄ及び自動表示条件設定手段２ｅが設けられており、表示条件設定手段２ｂは、画像表示装置１の表示画面に設定される医療画像の表示条件（表示画面における画面分割数や画像配置等）を通信ネットワーク３を介して画像表示装置１に送信して設定させるものである。
【００２０】
そして、分割数記憶手段２ｃには医療画像の画種と画像表示装置１の表示画面の分割数とを対応付けた対応テーブルが記憶され、表示条件記憶手段２ｄには、医師による所見作成時の医療画像の表示条件が所見と関連付けられて記憶されている。
【００２１】
そして、自動表示条件設定手段２ｅは、医師が所見を所見入力装置２に表示させた場合に、その所見に対応する表示条件を表示条件記憶手段２ｄより抽出して自動的に画像表示装置１に送信して表示条件を設定する。
【００２２】
また、画像表示装置１には、表示条件に基づいて表示画面に表示された医療画像をその表示条件に従ってフィルムに印刷する印刷手段１ａが設けられている。
【００２３】
次に、図１に示した医療画像表示システムの動作を説明する。
医師は、所見を入力する患者を決定して所見入力装置２より検索条件及び表示条件を入力し、所見入力装置２の検索条件送信手段２ａ及び表示条件設定手段２ｂは、入力された検索条件及び表示条件を画像表示装置１に通信ネットワーク３を介して送信する。
【００２４】
そして、例えば検索条件に含まれる画種が１種類の場合、表示条件設定手段２ｂは、検索条件として入力された画種に関連付けれれた分割数を分割数記憶手段２ｃに記憶された対応テーブルから抽出し、その分割数に対応する画像の配置（例えば最新の画像は左上に配置する等）と共に表示条件として画像表示装置１に送信して設定する。
【００２５】
例えば、対応テーブルにＣＴ画像と分割数４が対応付けられており、検索条件として画種がＣＴである場合は、表示条件設定手段２ｂは、図４に示したように表示画面を４分割し、例えば最新の画像を左上に配置する、撮影部位毎に異なる位置に配置する等の画像の配置を表示条件として画像表示装置１に送信し、画像表示装置１は、例えば撮影部位毎に異なる４つのＣＴ画像を分割された表示画面に表示する。
【００２６】
図２は複数の画種の医療画像が複数に分割された表示画面に配置される例を示す図である。
図２において、表示条件として、例えばＣＴ、ＭＲＩ及びＣＲの３種類の画種、画面の分割数３及びその配置が表示条件設定手段２ｂにより設定された場合、表示画面は表示条件に従って領域Ａ５，Ａ６，Ａ７に３分割され、例えばＣＴ画像が領域Ａ５に、ＭＲＩ画像が領域Ａ６に、ＣＲ画像が領域Ａ７に配置されて表示される。
【００２７】
また、医師が保存された所見を所見入力装置２に表示させた場合は、自動表示条件設定手段２ｅは、その所見に対応する表示条件を表示条件記憶手段２ｄから抽出して自動的に画像表示装置１に送信して設定し、画像表示装置１は送信された表示条件に従って予め検索された医療画像を表示させる。
【００２８】
そして、画像表示装置１は、表示条件設定手段２ｂまたは自動表示条件設定手段２ｅにより設定された表示条件に従って医療画像を表示させると共に、印刷手段１ａは、その表示条件に従って表示された医療画像をフィルムに印刷する。
【００２９】
このように、医師の所望する表示条件を所見入力装置２より画像表示装置１に送信して予め設定するので、医師は医療画像の表示条件を設定し直す必要はなく、効率的な医療画像の表示を行うことができる。
【００３０】
【発明の効果】
以上説明したように本発明によれば、医師の所望する画面分割数及び医療画像の配置等の表示条件を所見入力装置より画像表示装置に送信して予め設定するので、医師は医療画像の表示条件を設定し直す必要はなく、効率的に医療画像を読影して所見入力を行うことができる。
【図面の簡単な説明】
【図１】本発明の一実施例の構成を示す図である。
【図２】表示画面が４分割された例を示す図である。
【図３】従来の医療画像表示システムの構成を示す図である。
【図４】同一画種の４つの医療画像が４分割された表示画面に配置されて表示される例を示す図である。
【符号の説明】
１  画像表示装置
１ａ  印刷手段
２  所見入力装置
２ｂ  表示条件設定手段
２ｃ  分割数記憶手段
２ｄ  表示条件記憶手段
２ｅ  自動表示条件設定手段
３  通信ネットワーク
【図１】
0004247732.tif 000002
【図２】
0004247732.tif 000003
【図３】
0004247732.tif 000004
【図４】
0004247732.tif 000005